(57)【要約】【課題】  駐車補助ブレーキ制御を実行するにあたり、ブレーキ失陥が検出された場合に、それのブレーキ失陥に対応できるフェールセーフ機能を備えた駐車補助ブレーキ制御装置を提供する。【解決手段】  ブレーキ制御ＥＣＵにて、駐車補助ブレーキ制御中に、ブレーキ失陥が発生したことが検出されると、駐車補助ブレーキ制御を終了させ、ドライバへの警告を行う制御信号を出力させると共に、電動パーキングブレーキに対して第２駆動信号を出力させ、制動力を発生させることで車両を強制的に停止させる。【選択図】        図３
2005343248.tif 000002
【特許請求の範囲】
【請求項１】
ドライバに対して車両（ＶＬ）の駐車を支援するための駐車補助モードが設定された際に、前記車両の速度を制動力にて制御する駐車補助ブレーキ制御を実行する駐車補助ブレーキ制御装置において、
前記駐車補助ブレーキ制御にあたり、前記車両に備えられる各車輪（４ＦＬ、４ＦＲ、４ＲＬ、４ＲＲ）に、ドライバの意思とは無関係に前記制動力を付与可能な第１ブレーキ手段（２）の異常状態を示す検出信号を受け取り、前記第１ブレーキ手段に異常が発生したことを検出する異常検出手段（１０３）と、
前記異常検出手段によって、前記第１ブレーキ手段に異常が発生したことが検出された場合に、前記車両に備えられる車輪に制動力を付与する前記第１ブレーキ手段とは異なる第２ブレーキ手段（３）に指示信号を出力し、制動力を発生させることで、前記車両を所定速度で走行させるもしくは停止させる車両制動制御手段（１１５）と、を備えていることを特徴とする駐車補助ブレーキ制御装置。
【請求項２】
前記車両の車速を示すデータを受け取り、この車速を示すデータに基づいて目標減速度を求める目標減速度検出手段（１０９）を有し、
前記車両制動制御手段は、前記第２ブレーキ手段が前記車輪に付加する制動力を制御して前記目標減速度検出手段によって求められた前記目標減速度が得られるように、前記指示信号を出力し、前記第２ブレーキ手段が前記車輪に付与する制動力を調整することを特徴とする請求項１に記載の駐車補助ブレーキ制御装置。
【請求項３】
前記車両の車速を示すデータを受け取り、この車速を示すデータに基づいて減速度増加勾配を求める減速度増加勾配検出手段（１０９）を有し、
前記車両制動制御手段は、前記第２ブレーキ手段が前記車輪に付加する制動力を制御して前記減速度増加勾配検出手段によって求められた前記減速度増加勾配が得られるように、前記指示信号を出力し、前記第２ブレーキ手段が前記車輪に付与する制動力を調整することを特徴とする請求項１または２に記載の駐車補助ブレーキ制御装置。
【請求項４】
前記車両制動制御手段は、前記第１ブレーキ手段の異常が発生した場所に応じて、前記第２ブレーキ手段に指示信号を出力して制動力を発生させるか、前記第２ブレーキ手段に指示信号を出力せず、前記第１ブレーキ手段によって制動力を発生させるかを変えることを特徴とする請求項１ないし３のいずれか１つに記載の駐車補助ブレーキ制御装置。
【請求項５】
前記第１ブレーキ手段が、前記車両に備えられる前記車輪を２系統に分けて前記制動力を付加するように構成されたものである場合において、
前記車両制動制御手段は、前記第１ブレーキ手段の異常が発生した場所が２系統のうちのいずれか１系統のみであった場合には、前記前記第２ブレーキ手段に指示信号を出力せず、前記第１ブレーキ手段によって制動力を発生させることを特徴とする請求項４に記載の駐車補助ブレーキ制御装置。
【請求項６】
前記車両制動制御手段は、前記第１ブレーキ手段の２系統共に異常が発生した場合には、前記前記第２ブレーキ手段に指示信号を出力し、前記第２ブレーキ手段によって制動力を発生させることを特徴とする請求項５に記載の駐車補助ブレーキ制御装置。
【請求項７】
前記車両制動制御手段は、前記第２ブレーキ手段として電動パーキングブレーキに前記指示信号を出力することを特徴とする請求項１ないし６のいずれか１つに記載の駐車補助ブレーキ制御装置。
【請求項８】
ドライバに対して車両（ＶＬ）の駐車を支援するための駐車補助モードが設定された際に、前記車両の速度を制動力にて制御する機能をコンピュータに実行させる駐車補助ブレーキ制御プログラムであって、
前記車両に備えられる車輪（４ＦＬ、４ＦＲ、４ＲＬ、４ＲＲ）に、ドライバの意思とは無関係に前記制動力を付与する第１ブレーキ手段（２）の異常状態を示す検出信号を受け取り、前記第１ブレーキ手段に異常が発生したことを検出する異常検出機能と、
前記異常検出手段によって、前記第１ブレーキ手段に異常が発生したことが検出された場合に、前記車両に備えられる各車輪（４ＦＬ、４ＦＲ、４ＲＬ、４ＲＲ）に制動力を付与する前記第１ブレーキ手段とは異なる第２ブレーキ手段（３）に指示信号を出力し、制動力を発生させることで、前記車両を所定速度で走行させるもしくは停止させる車両制動制御機能と、を備えていることを特徴とする駐車補助ブレーキ制御プログラム。
【発明の詳細な説明】
【技術分野】
【０００１】
本発明は、車両における駐車を支援する際に、車両の車輪に制動力を付与する駐車補助ブレーキ制御装置に関するものである。
【背景技術】
【０００２】
近年、車両における駐車を支援することで、容易に駐車が行える駐車補助制御を実行する駐車補助制御装置が開発されている。例えば、ドライバが車室内に備えられた駐車補助スイッチを押すと、それに伴って車両が自動的に駐車スペースに移動し、ドライバが何も行わないでも駐車を行ってくれるものや、車庫入れや縦列駐車のときに車両の移動に伴って「左方向にハンドルを切ってください」等のように、ハンドルなどの操作指示を出すもの、駐車中の車両の移動軌跡を示すものがある（例えば、特許文献１参照）。このとき、自動的に車両を移動させるに際して、既存の技術である自動加圧システムによって適宜車輪に制動力を付与しながら車両を適切な所定速度（例えば一定速度）とする駐車補助ブレーキ制御を実行するものがある。このような装置を駐車補助ブレーキ装置と呼ぶ。
【特許文献１】特開２０００−２８０８２３号公報
【発明の開示】
【発明が解決しようとする課題】
【０００３】
上記のような駐車補助ブレーキ制御装置においては、自動加圧システムのブレーキ失陥（ブレーキフェール）が発生する可能性がある。しかしながら、従来の駐車補助ブレーキ制御装置では、このようなブレーキ失陥に対して何ら対策がとられていない。したがって、ブレーキ失陥が発生した場合、駐車補助制御中に自動的に制動力を発生させることができず、車両を適切に所定速度で移動させることができなくなる可能性がある。かかる場合、ドライバに警告を与え、ブレーキ操作を促すという対策が取られている。このため、駐車補助ブレーキ制御装置にブレーキ失陥が発生した場合に対応できるフェールセーフ機能を備えることが望まれる。
【０００４】
なお、駐車補助ブレーキ制御装置では、イグニッションスイッチがオンされた後のイニシャルチェック時に、駐車補助ブレーキ制御装置における制動力を付与するための自動加圧システムに備えられる電磁弁の空打ちが行われることでハード的な異常チェックが行われる場合がある。しかしながら、このような場合にも、駐車補助ブレーキ制御直前のチェックでは自動加圧システムの電気的な異常チェックが行われるのみでり、ハード的な異常チェックが行われてない。したがって、駐車補助ブレーキ制御中にハード的な異常が発生することもあり得る。
【０００５】
本発明は上記点に鑑みて、駐車補助ブレーキ制御を実行するにあたり、自動加圧システムにブレーキ失陥が発生した場合に、そのブレーキ失陥に対応できるフェールセーフ機能を備えた駐車補助ブレーキ制御装置を提供することを目的とする。
【課題を解決するための手段】
【０００６】
上記目的を達成するため、請求項１に記載の発明では、異常検出手段（１０３）にて、駐車補助ブレーキ制御時に車両の速度を制御するため、ドライバの意思とは無関係に車両（ＶＬ）に備えられる各車輪（４ＦＬ、４ＦＲ、４ＲＬ、４ＲＲ）に制動力を付与する第１ブレーキ手段（２）に異常が発生したことが検出された場合に、車両制動制御手段（１１５）により、第１ブレーキ手段とは異なる第２ブレーキ手段（３）に指示信号を出力し、制動力を発生させることで、車両を所定速度で走行させるもしくは停止させることを特徴としている。
【０００７】
このように、駐車補助ブレーキ制御中に第１ブレーキ手段にブレーキ失陥が発生したときには、第２ブレーキ手段によって車両に所定速度（例えば一定速度）を形成させたり、車両を自動的に停止させる。これにより、駐車補助ブレーキ制御を実行するにあたり、ブレーキ失陥が検出された場合に、それのブレーキ失陥に対応できるフェールセーフ機能を備えた駐車補助ブレーキ制御装置とすることができる。
【０００８】
請求項２に記載の発明では、目標減速度検出手段（１０９）にて、車速を示すデータから目標減速度を求め、車両制動制御手段が車輪に付加する制動力を制御し、目標減速度検出手段によって求められた目標減速度が得られるように、車両制動制御手段から指示信号を出力させることを特徴としている。
【０００９】
このように、車速に応じた目標減速度を設定し、車両を停止させれば、車両の停止が急ブレーキにならないようにできる。なお、請求項３に示されるように、減速度増加勾配検出手段によって求められた減速度増加勾配が得られるように、車両制動制御手段から指示信号を出力させるようにしても、請求項２と同様の効果を得ることができる。
【００１０】
請求項４に記載の発明のように、第１ブレーキ手段の異常が発生した場所に応じて、第２ブレーキ手段に指示信号を出力して制動力を発生させるか、第２ブレーキ手段に指示信号を出力せず、第１ブレーキ手段によって制動力を発生させるかを変えることも可能である。これにより、第１ブレーキ手段における異常が発生した場所に応じて、駐車補助ブレーキ制御を継続させることが可能となる。
【００１１】
例えば、請求項５に示されるように、第１ブレーキ手段が、車両に備えられる車輪を２系統に分けて制動力を付加するように構成されたものである場合、第１ブレーキ手段の異常が発生した場所が２系統のうちのいずれか１系統のみであれば、第１ブレーキ手段によって制動力を発生させ、駐車補助ブレーキ制御を継続させることができる。
【００１２】
そして、請求項６に示されるように、第１ブレーキ手段の２系統共に異常が発生した場合には、第２ブレーキ手段に指示信号を出力し、第２ブレーキ手段によって制動力を発生させるようにしても良い。
【００１３】
なお、ここでいう車両制動制御手段における第２ブレーキ手段としては、請求項７に示すように、電動パーキングブレーキを挙げることができる。
【００１４】
また、上記請求項１ないし７では、本発明を駐車補助ブレーキ制御装置という形態として示したものであるが、本発明は必ずしもこのような形態のみに適用されるものではない。例えば、請求項８に示されるように、駐車補助ブレーキ制御プログラムという形態として本発明を捉えることも可能であるし、駐車補助ブレーキ制御方法等の他の形態として本発明を捉えることも可能である。
【００１５】
なお、上記各手段の括弧内の符号は、後述する実施形態に記載の具体的手段との対応関係を示すものである。
【発明を実施するための最良の形態】
【００１６】
以下、本発明の実施形態について図に基づいて説明する。なお、以下の各実施形態相互において、互いに同一もしくは均等である部分には、図中、同一符号を付してある。
【００１７】
（第１実施形態）
本発明の一実施形態を適用した車両に搭載される駐車補助ブレーキ装置について、図面を参照して説明する。
【００１８】
本実施形態の駐車補助ブレーキ装置は、特開２００４−５０９２５号公報に示される装置と同様に、定速モードおよび停止モードなどで動作する駐車補助ブレーキ装置に関するものである。
【００１９】
図１は、本実施形態の駐車補助ブレーキ装置の全体構成を示す図である。図中、車両ＶＬの右前輪、左前輪、右後輪、左後輪をそれぞれに対応する構成要素にＦＲ、ＦＬ、ＲＲ、ＲＬを付して表わしてある。
【００２０】
本実施形態の駐車補助ブレーキ装置は、ブレーキ制御ＥＣＵ１、油圧ブレーキ装置２、電動パーキングブレーキ（以下、ＰＫＢという）３、各車輪４ＦＲ、４ＲＬ、４ＦＬ、４ＲＲ毎に備えられたホイールシリンダ（以下、Ｗ／Ｃという）４１ＦＲ、４１ＲＬ、４１ＦＬ、車輪速度センサ５ＦＲ、５ＲＬ、５ＦＬ、５ＲＲ、車内ＬＡＮバス６、エンジンＥＣＵ７、周辺監視制御ＥＣＵ８、警告表示・警報装置９、各種センサ類５０、および制動要求出力部８０を備えた構成となっている。
【００２１】
これらの構成要素のうち、ブレーキ制御ＥＣＵ１、エンジン制御ＥＣＵ７、周辺監視制御ＥＣＵ８、警告表示・警報装置９、センサ類５０、および制動要求出力部８０は、それぞれ車内ＬＡＮバス６に接続され、車内ＬＡＮバス６を介して互いに信号の送受を行えるようになっている。
【００２２】
ブレーキ制御ＥＣＵ１は、車両制動制御手段を構成するもので、コンピュータにより構成されており、車内ＬＡＮバス６を介して周辺監視制御ＥＣＵ８や制動要求出力手段８０からの制動要求、および各車輪速度センサ５ａ〜５ｄおよびセンサ類５０からのセンサ信号を入力し、後述する油圧ブレーキ装置２およびＰＫＢ３を制御するための駆動信号やエンジン制御ＥＣＵ７への制御信号を出力する。
【００２３】
油圧ブレーキ装置２は、本発明における第１ブレーキ手段を構成するもので、ＰＫＢ３は、本発明における第２ブレーキ手段を構成するものである。
【００２４】
図２は、第１ブレーキ手段である油圧ブレーキ装置２の具体的な配管構成を示した図である。この図を参照して、油圧ブレーキ装置２について説明する。
【００２５】
マスタシリンダ（以下、Ｍ／Ｃという）１０は、運転者により図示しないブレーキペダルが踏み込まれると、センサ類５０に含まれる後述するブレーキ操作量センサ５３で検出されるブレーキペダルの踏力に応じたＭ／Ｃ圧を発生させる。このＭ／Ｃ１０には、第１配管系統１１および第２配管系統２１が接続されており、これら各配管系統１１、２１に対して各Ｗ／Ｃ４１ＦＲ、４１ＲＬ、４１ＦＬ、４１ＲＲがダイアゴナル接続されている。
【００２６】
Ｍ／Ｃ１０で発生させられたブレーキ液圧は、それぞれ第１配管系統１１および第２配管系統２１を介して各車輪に備えられたＷ／Ｃ４１ＦＲ、４１ＲＬ及び４１ＦＬ、４１ＲＲに伝達され、第１の制動力を発生するようになっている。
【００２７】
以下では、第１配管系統１１、特に、右前輪４ＦＲに関わる配管系統を中心に説明するが、他の車輪および第２配管系統についても同様である。
【００２８】
第１配管系統１１には、右前輪４ＦＲおよび左後輪４ＲＬのそれぞれに対して、ＡＢＳ制御時に各Ｗ／Ｃ４１ＦＲ、４１ＲＬの増圧および保持を調整する増圧制御弁１４ａ、１４ｂが設けられている。増圧制御弁１４ａ、１４ｂそれぞれに並列に逆止弁１４１ａ、１４１ｂが設けられ、増圧制御弁１４ａ、１４ｂの遮断時にＷ／Ｃ圧が過剰となった場合に液流をＭ／Ｃ１０側へ逃がすようになっている。
【００２９】
増圧制御弁１４ａ、１４ｂとＷ／Ｃ４１ＦＲ、４１ＲＬとの間から伸びる減圧管路１２にはＡＢＳ制御におけるＷ／Ｃ４１ＦＲ、４１ＲＬの減圧、保持を調整する減圧制御弁１５ａ、１５ｂが設けられている。この減圧管路１２はリザーバ１６と接続されている。
【００３０】
リザーバ１６に貯溜されるブレーキ液はモータ２０により駆動されるポンプ１７によって汲み上げられたのち、増圧制御弁１４ａ、１４ｂと後述するマスタカット弁（以下、ＳＭ弁という）１８との間となっている。なお、ポンプ１７の吐出口には逆止弁１７１が設けられ、ポンプ１７の吐出口に高いブレーキ液圧が加えられないようになっている。
【００３１】
Ｍ／Ｃ１０と増圧制御弁１４ａ、１４ｂとの間には、ＳＭ弁１８が配置されている。このＳＭ弁１８は、非通電時は連通状態、通電時には図示方向の逆止弁による遮断状態となる２位置弁である。ＳＭ弁１８は、遮断状態のときには、Ｗ／Ｃ４１ＦＲ、４１ＲＬ側の圧が逆止弁のばねによるクラッキング圧分Ｍ／Ｃ１０側の圧よりも高くなったときにリリースされ、圧を逃がす構造となっている。このＳＭ弁１８には、並列に逆止弁１８１が設けられており、Ｍ／Ｃ１０側からＷ／Ｃ４１ＦＲ、４１ＲＬ側への流動のみが許容されるようになっている。
【００３２】
Ｍ／Ｃ１０とＳＭ弁１８との間と、リザーバ１６とは吸引管路１３で接続されている。
【００３３】
第１配管系統１１のＭ／Ｃ１０とＳＭ弁１８との間には油圧センサ３０が設けられ、Ｍ／Ｃ１０が発生したブレーキ液圧を検出できるようになっている。この油圧センサ３０で検出されるブレーキ液圧は、Ｍ／Ｃ１０の図示しないセカンダリ室の発生圧力であるが、第２配管系統が接続されるプライマリ室にも同圧が発生しているので、油圧センサ３０により実質的にＭ／Ｃ圧を検出することができる。
【００３４】
また、増圧制御弁１４ａ、１４ｂとＷ／Ｃ４１ＦＲ、４１ＲＬとの間にも油圧センサ１９ａ、１９ｂが設けられ、それぞれのＷ／Ｃ圧が検出できるようになっている。
【００３５】
これら、油圧センサ３０および油圧センサ１９ａ、１９ｂの出力信号は、ブレーキ制御ＥＣＵ１に入力される。
【００３６】
上記増圧制御弁１４ａ、１４ｂ、減圧制御弁１５ａ、１５ｂは２位置弁であり、ブレーキペダルの非操作時および通常ブレーキ時などの非通電（ＯＦＦ）時には図示の弁体位置、すなわち、増圧制御弁１４ａ、１４ｂは連通状態、減圧制御弁１５ａ、１５ｂは遮断（カット）状態にある。また、ＳＭ弁１８も通常の非通電時には図示の弁体位置、すなわち連通状態にある。
【００３７】
これら各制御弁は、ブレーキ制御ＥＣＵ１からの作動信号により駆動される。また、ポンプ１７、２７を駆動するモータ２０もブレーキ制御ＥＣＵ１からの作動信号により駆動される。
【００３８】
なお、これらの油圧ブレーキ装置２に対する各作動信号は、総じて第１駆動信号に相当する。また、油圧ブレーキ装置２を制御停止（または、制御禁止）にするとは、第１駆動信号を０（非作動状態）、具体的には、増圧制御弁１４ａ、１４ｂ、２４ａ、２４ｂ、減圧制御弁１５ａ、１５ｂ、２５ａ、２５ｂおよびＳＭ弁１８、２８を全て非通電とし、かつ、モータ２０の駆動電流を０とすることを意味している。したがって、油圧ブレーキ装置２で示される第１ブレーキ手段は、第１駆動信号が解除されると制動力も解除（制動力＝０）されることになる。
【００３９】
このように構成される第１ブレーキ手段としての油圧ブレーキ装置２においては、ブレーキ失陥が発生しているか否かを検出する異常チェックが行われる。この異常チェックには、ハード的なものと電気的なもののチェックがある。
【００４０】
ハード的なものの異常チェックは、増圧制御弁１４ａ、１４ｂ、２４ａ、２４ｂ、減圧制御弁１５ａ、１５ｂ、２５ａ、２５ｂおよびＳＭ弁１８、２８を作動させ、さらにはモータ２０を駆動してポンプ１７、２７を作動させることによって行われる。このときに、これら各ハード構成が正常に作動すれば、異常がないものとされ、作動しなければ異常が検出される。このようなハード的な異常チェックは、例えば、イグニッションスイッチがオンされた直後に行われるイニシャルチェック時や駐車補助ブレーキ制御が実行されるときに行われる。
【００４１】
電気的なものの異常チェックは、ハード的なものの異常チェックを行う際に、各ハード構成を作動させるための制御信号を発生するブレーキ制御ＥＣＵ１が正常に作動する否かを検出することで行われる。つまり、各ハード構成を作動させるための制御信号が正常に出力されていれば、異常がないものとされ、正常に出力されていなければ異常が検出される。
【００４２】
この異常チェック時に異常が検出された場合には、ブレーキ制御ＥＣＵ１に備えられる図示しないメモリの異常検出フラグがセットされることで、ブレーキ失陥が発生したことが確認できるようになっている。
【００４３】
続いて、この油圧ブレーキ装置２の基本的な制御方法について説明する。
【００４４】
運転者によりブレーキペダルが踏み込まれるときの通常のブレーキ操作においては、全ての制御弁（ＳＭ弁１８、増圧制御弁１４ａ、減圧制御弁１５ａ）は非通電（ＯＦＦ）状態とされる。このため、Ｍ／Ｃ圧がそのままＷ／Ｃ４１ＦＲ、４１ＲＬに作用し、Ｗ／Ｃ圧＝Ｍ／Ｃ圧となる。
【００４５】
ＡＢＳ制御中は、タイヤロックを回避するためにＷ／Ｃ圧を減圧する過程と制動力を回復するためにＷ／Ｃ圧を増圧する過程とでそれぞれ動作が異なる。なお、ＳＭ弁１８はＡＢＳ制御中は、通常ＯＦＦ（連通状態）にするとともに、ポンプ１７を駆動してリザーバ１６よりブレーキ液を吸引する。
【００４６】
まず、ＡＢＳ制御の減圧過程では、増圧制御弁１４ａを通電状態（ＯＮ）すなわち遮断（カット）状態とし、かつ、減圧制御弁１５ａをＯＮ／ＯＦＦのデューティー比制御する。これにより、連通／カットの切換えが繰り返されて、Ｗ／Ｃ４１ＦＲよりブレーキ液が所定の変化勾配でリザーバ１６へ流れ出しＷ／Ｃ圧が減圧する。
【００４７】
ＡＢＳ制御の増圧過程では、減圧制御弁１５ａを非通電状態（ＯＦＦ）すなわちカット状態とし、かつ、増圧制御弁１４ａをＯＦＦ／ＯＮのデューティー比制御する。これにより、連通／カットの切換えが繰り返されて、Ｍ／Ｃ１０よりブレーキ液がＷ／Ｃ４１ＦＲに供給されてＷ／Ｃ圧は増圧する。
【００４８】
次に、駐車補助ブレーキ制御、すなわち、ブレーキペダルの踏み込み操作の有無に関わらず、周辺監視制御ＥＣＵ８や制動要求出力手段８０からの制動要求信号に基づいて、ブレーキ制御ＥＣＵ１が油圧ブレーキ装置２に対して指示するブレーキ動作中の増圧過程および減圧過程について説明する。
【００４９】
駐車補助ブレーキ制御の増圧過程では、ＳＭ弁１８をＯＮ（カット状態）に、かつ、減圧制御弁１５ａをＯＦＦ（カット状態）にする。また、ポンプ１７を駆動してリザーバ１６よりブレーキ液を吸引して吐出圧を発生させた状態で、油圧センサ１９ａの検出値との比較を行いながら、増圧制御弁１４ａをＯＦＦ／ＯＮのデューティー比制御により所定の変化勾配で、あるいは設定された目標の圧力までＷ／Ｃ圧を増圧する。このとき、必要に応じてＭ／Ｃ１０から吸引管路１３、リザーバ１６を介してブレーキ液がポンプ１７の吸引口に補充される。
【００５０】
駐車補助ブレーキ制御の減圧過程では、ＳＭ弁１８をＯＮ（カット状態）に、かつ、増圧制御弁１４ａをＯＮ（カット状態）にするとともに、ポンプ１７を駆動してリザーバ１６よりブレーキ液を吸引して吐出圧を発生させた状態で、油圧センサ１９ａの検出値との比較を行いながら、減圧制御弁１５ａをＯＮ／ＯＦＦのデューティー比制御により所定の勾配で、あるいは設定された目標の圧力までＷ／Ｃ４１ＦＲよりブレーキ液を吸引してＷ／Ｃ圧を減圧する。このとき、増圧制御弁１４ａおよびＳＭ弁１８がともにカット状態であるため、ポンプ１７の吐出圧は増大するが、その圧がＳＭ弁１８の逆止弁のばねのクラッキング力より大きくなるとリリースされて圧力が低下する。
【００５１】
次に、第２ブレーキ手段であるＰＫＢ３について説明する。
【００５２】
ＰＫＢ３は、ブレーキワイヤ３１Ｒ、３１Ｌ後輪４ＲＬ、４ＲＲの各ブレーキキャリパと接続されている。このＰＫＢ３１は、ブレーキ制御ＥＣＵ１からの第２駆動信号により動作する図示しないモータおよびギア機構からなるアクチュエータが、ブレーキワイヤ３１Ｒ、３１Ｌを介して左右後輪４ＲＲ、４ＲＬのブレーキキャリパを駆動することにより、制動力すなわち、第２の制動力を発生させる。ＰＫＢ３のモータは、第２駆動信号に基づきデューティー駆動されて正転または逆転させられる。これにより、第２の制動力の大きさが制御されるようになっている。
【００５３】
このとき、デューティー比に応じた制動力が発生し、目標の制動力となったらＰＫＢ３のモータがロックし、モータロックが検出されるとモータの駆動電流が遮断、すなわち、第２駆動信号が解除されて、ＰＫＢ３は制御停止（制御禁止）の状態となる。このＰＫＢ３の制御停止状態ではギア機構は動かないので、第２の制動力は維持され、ロック状態となる。
【００５４】
このＰＫＢ３は、駐車補助ブレーキ制御中にブレーキ制御ＥＣＵ１からの第２駆動信号によって行われる以外に、運転者により図示しないパーキングブレーキスイッチをＯＮ／ＯＦＦ操作した場合にも、その操作信号に基づきブレーキ制御ＥＣＵ１がＰＫＢ３の第２駆動信号を出力することにより駆動されるようになっている。
【００５５】
車輪速度５ＦＬ〜５ＲＲセンサは、図２に示すように、各車輪の回転速度を検出できるように、各車輪それぞれに備えられ、それぞれの出力信号が直接ブレーキ制御ＥＣＵ１に入力されるようになっている。車輪速度センサ５ＦＲ、５ＦＬ、５ＲＲ、５ＲＬには、例えばホール素子による半導体式速度センサが用いられ、低速度でも確実な車輪回転パルスを得ることで、駐車時の速度でも正確な車速が検出できるようになっている。
【００５６】
エンジン制御ＥＣＵ７は、アクセル操作量センサ５２からのアクセル操作量であるアクセル開度信号や、エンジン回転数、水温や排気中の酸素濃度などに基づき走行状態に応じて燃料噴射量を調整してエンジン７０へ指令値を与えることによりエンジン出力を制御する。これにより、自動変速機（ＡＴ）７１および車軸７２Ｒ、７２Ｌを介して回転駆動される左右の前輪４ＦＲ、４ＦＬの駆動力が調整されるようになっている。
【００５７】
なお、ＡＴ７１は、エンジン７０の回転を車軸７２Ｒ、７２Ｌに伝達するトルクコンバータを内蔵した公知の装置であり、図示しない制御装置により変速制御されるものである。本実施形態では、クリープ現象により車両を低速で走行させる（以下、クリープ走行という）状態を積極的に利用して駐車補助ブレーキ制御を行うものであり、ＡＴ７１の制御に関しては特に関係ないため、ＡＴ７１の制御装置については説明を省略する。
【００５８】
すなわち、本実施形態においては、ブレーキ制御ＥＣＵ１からのエンジン出力調整信号により、エンジン制御ＥＣＵ７がアイドル状態からエンジン出力を増加、または、アイドル状態への出力減少を行うことによる駆動力の制御と、ブレーキ制御ＥＣＵ１による制動力の制御を併用して車両ＶＬを定速モードで走行させるようになっている。
【００５９】
周辺監視制御ＥＣＵ８は、周辺監視手段に相当するもので、センサ類５０に含まれる後述する障害物センサ５４により計測された障害物までの距離ｘに基づき、車両ＶＬを停止すべき位置までの距離である制動距離Ｌを算出する。そして、周辺監視制御ＥＣＵ８は、求めた制動距離Ｌを制動要求値としてブレーキ制御ＥＣＵ１へ出力するようになっている。
【００６０】
警告表示・警報装置９は、ランプやディスプレイ等の警告表示器およびブザーやスピーカ等の警報器を備えたもので、各種制御を実行していること等をランプ点灯やディスプレイ表示、ブザーやスピーカを通じての警告音によってドライバに報知するものである。
【００６１】
センサ類５０には、操舵量センサ５１、アクセル操作量センサ５２、ブレーキ操作量センサ５３および障害物センサ５４が含まれている。
【００６２】
操舵量センサ５１は、ハンドル操舵量を検出するものであり、アクセル操作量センサ５２は、アクセルペダルの操作量を検出するものである。ブレーキ操作量センサ５３は、ブレーキペダルの操作量を検出するものである。
【００６３】
障害物センサ５４は、車両ＶＬ周辺の障害物を検出するためのもので、車両の前部および後部の例えばバンパに設けられたコーナーソナーにより車両の前方および後方に存在する障害物までの距離ｘを計測し、その微分信号と共に車内ＬＡＮバス６を介してブレーキ制御ＥＣＵ１や他の制動要求出力手段へ送る。距離ｘの微分信号は、前方または後方の走行車両などの障害物との相対速度に相当する。
【００６４】
制動要求出力部８０は、制動要求出力手段に相当するもので、渋滞追従ＥＣＵ８１、車間制御ＥＣＵ８２および居眠り防止ＥＣＵ８３を含んでいる。
【００６５】
渋滞追従ＥＣＵ８１は、交通渋滞時に前方車両の制動および停車状態を検出し、自車ＶＬの車速より前方車両に追突することなく所定車間距離の位置に停止または車間距離を維持するための目標減速度（たとえば、「０．２３Ｇ（Ｇ：重力加速度）の減速」）を算出する。そして、渋滞追従ＥＣＵ８２は、その算出結果をＥＣＵ要求値として、車内ＬＡＮバス６を介してブレーキ制御ＥＣＵ１へ出力する。
【００６６】
これに基づき、ブレーキ制御ＥＣＵ１では、例えば、減速度１Ｇが制動圧１０ＭＰａ（Ｐａ：圧力単位、パスカル）に相当するものとして、ＥＣＵ要求値として示される減速度を制動圧（制動油圧）に変換し、その大きさを評価するようになっている。
【００６７】
車間制御ＥＣＵ８２は、前後の車両などの障害物と自車ＶＬとの距離および相対速度を検出し、障害物との車間距離を、予め設定された、あるいは運転者により設定変更された所定値に保つよう、エンジン制御ＥＣＵ７による駆動制御やブレーキ制御ＥＣＵ１による制動制御を行うものである。
【００６８】
さらに、ＥＣＵ要求値として、ブレーキ制御ＥＣＵ１へ目標制動距離（たとえば、「２８ｍで停止」）を出力する。また、前後の障害物との距離が急激に小さくなった場合に、車両進行方向への歩行者等の急な飛び出しの可能性があるため、急制動を可能にする制動要求を出す。なお、前後障害物との距離は障害物センサ５４により検出される。
【００６９】
これに基づき、ブレーキ制御ＥＣＵ１では、現在車速と目標制動距離とから目標減速度を求め、あるいは急制動時の最大減速度の設定を行い、これを、上述と同様制動圧に変換して、大きさを評価するようになっている。
【００７０】
居眠り防止ＥＣＵ８３は、運転操作状態あるいは運転者の生理状態を検出して運転者の居眠り状態を判定し、運転者に覚醒を促すためにブザーなどの警報や断続的な瞬間制動を行うものであるが、本実施形態においては、ＥＣＵ要求値として、ブレーキ制御ＥＣＵ１へ上記覚醒のための目標制動液圧の時間変化値を与える。この制動力の時間変化は、例えば、三角波形状とすることができる。
【００７１】
以上のように本実施形態の駐車補助ブレーキ装置が構成されている。このように構成される駐車補助ブレーキ装置では、図示しない駐車補助ブレーキ制御開始用のスイッチが投入され、上述した駐車補助制御が実行される駐車補助モードが設定されると、駐車補助ブレーキ制御が実行されるようになっている。この駐車補助ブレーキ制御は、駐車補助制御中実行される。具体的には、ブレーキ制御ＥＣＵ１、エンジン制御ＥＣＵ７および周辺監視ＥＣＵ８により、車輪速度センサ５ＦＬ〜５ＲＲやＷ／Ｃ圧センサ１９ａ、１９ｂ、２９ａ、２９ｂおよびセンサ類５０からの検出信号、さらには、制動要求出力部８０からＥＣＵ要求値として出される目標減速度等に基づいて、駐車補助ブレーキ制御およびフェールセーフ制御などの各種制御が実行される。
【００７２】
そして、駐車補助ブレーキ制御が実行されると、車両ＶＬと障害物との距離ｘが比較的長い場合には、定速モードでの動作によりブレーキ操作量および道路勾配に応じた目標速度（クリープ速度）で車両ＶＬがクリープ走行するように調整され、障害物との距離ｘが短くなると停車モードでの動作に切り替わり、車速に応じて決められた制動距離となるように制動力が発生させられ、車両ＶＬが減速するように調整される。
【００７３】
このような駐車補助ブレーキ制御の詳細に関しては、特開２００４−５０９２５号公報等に示されるものと同様であるため、ここでは省略する。
【００７４】
続いて、この駐車補助ブレーキ制御中に実行されるフェールセーフ制御に関して説明する。
【００７５】
このフェールセーフ制御処理は、駐車補助ブレーキ制御中に、ブレーキ失陥が発生すると、油圧ブレーキ装置２によって制動力を発生させられなくなる可能性があることから、異常チェックによってブレーキ失陥が発生したことが検出された場合には、ＰＫＢ３によって制動力を発生させるものである。
【００７６】
図３は、フェールセーフ制御処理のフローチャートを示したものである。このフローチャートに示されるフェールセーフ制御処理は、ブレーキ制御ＥＣＵ１において、車両における図示しない駐車補助ブレーキ制御開始用のスイッチがオンされたときに、所定の制御周期毎に実行される。
【００７７】
まず、ステップ１０１では、駐車補助ブレーキ制御中であるか否かが判定される。例えば、駐車補助ブレーキ制御が実行されるときに、ブレーキ制御ＥＣＵ１内に備えられる図示しないメモリのフラグをセットしておき、そのフラグがセットされているかリセットされているかを確認することで、この判定を行うことができる。
【００７８】
このステップで肯定判定された場合には、駐車補助ブレーキ制御中であるものとして、ステップ１０３に進む。
【００７９】
ステップ１０３では、ブレーキ失陥が検出されているか否かが判定される。この判定は、上記したように、駐車補助ブレーキ制御が実行されるときに行われた異常チェックによってブレーキ制御ＥＣＵ１に備えられる図示しないメモリに異常検出フラグがセットされたか否かに基づいて行われる。そして、異常検出フラグがセットされいなければ何ら問題がない。このため、このステップで否定判定された場合には、そのまま処理が終了される。そして、このステップで肯定判定された場合には、ステップ１０５に進む。
【００８０】
ステップ１０５では、ブレーキ失陥が発生して油圧ブレーキ装置２によって制動力が発生させられない状態になっている可能性があることから、駐車補助ブレーキ制御を終了させるための処理が実行される。これにより、油圧ブレーキ装置２によって制動力を発生させるために出される第１駆動信号が出力されなくなり、駐車補助ブレーキ制御が終了される。
【００８１】
続いて、ステップ１０７に進み、警告処理が実行される。この処理では、警告音およびランプもしくはディスプレイ表示による警告を行うべく、警告表示・警報装置９にフェールセーフ制御が実行されたことを示す制御信号が出力される。これにより、警告表示・警報装置９でランプ点灯やディスプレイ表示や、ブザーやスピーカを通じての警告音での警報が行われ、ドライバにブレーキ失陥が発生し、フェールセーフ制御が実行されることが報知される。
【００８２】
次に、ステップ１０９で、現在の車速より目標減速度および減速度増加勾配選択が行われる。現在の車速は、例えば、車輪速度センサ５ＦＬ〜５ＲＲからの信号に基づいて駐車補助ブレーキ制御中に求められる車速や、他のＥＣＵで既に求められている車速が用いられる。減速度増加勾配選択は、予めブレーキ制御ＥＣＵ１内に設けられた車速に応じた減速度増加勾配マップを利用して行われる。
【００８３】
続いて、ステップ１１１に進み、選択された減速度増加勾配を得るための制御ブレーキ力が演算される。なお、減速度に対する制動圧の換算に関しては、上記と同様である。
【００８４】
続いて、ステップ１１３に進み、ドライバが要求する制動力（以下、ドライバ要求制動力という）に対して制御ブレーキ力が大きいか否かが判定される。ここでいうドライバ要求制動力とは、ドライバによるブレーキペダルの踏み込みに応じて発生させられる制動力を意味する。このドライバ要求制動力よりも制御ブレーキ力が大きい場合には、ドライバの要求以上のブレーキ力が必要になっているということであるから、制御ブレーキ力を発生させるべく、ステップ１１５に進む。逆に、ドライバ要求制動力の方が制御ブレーキ力よりも大きい場合には、ドライバが要求するブレーキ力の方がフェールセーフ制御によって求められるブレーキ力よりも大きいということであるから、ドライバの制動意志を尊重し、ドライバ要求制動力が優先される。この場合、ステップ１１５を飛び越えてそのまま処理が終了される。
【００８５】
ステップ１１５では、制御ブレーキ力を発生させるための強制制動処理が実行される。具体的には、制御ブレーキ力に相当する制動圧が発生させることを指示する第２駆動信号が出力される。これにより、ＰＫＢ３が発生させる第２の制動力の大きさが調整され、制御ブレーキ力が発生させられる。なお、この強制制動処理が実行されたときには、この処理が実行されたことを示すべく、ブレーキ制御ＥＣＵ１に備えられる図示しない強制制動フラグがセットされる。
【００８６】
一方、ステップ１０１で否定判定された場合には、駐車補助ブレーキ制御が行われていない状態もしくは駐車補助ブレーキ制御が強制的に終了させられた状態であるものとして、ステップ１１７に進む。
【００８７】
ステップ１１７では、強制制動処理が実行された後か否かが判定される。この判定は、上述した強制制動フラグがセットされているか否かに基づいて行われる。そして、強制制動フラグがセットされていればステップ１１９に進み、リセットされていればそのまま処理が終了される。例えば、駐車補助ブレーキ制御が実行されていない通常走行中や、駐車補助ブレーキ制御中にブレーキ失陥が発生してもドライバのブレーキペダル操作に基づいて発生させられた制動力によって車両ＶＬを停止させた場合には、このステップで否定判定されることになる。
【００８８】
ステップ１１９では、強制制動処理が実行された後に解除操作がなされたか否かが判定される。ここでいう解除操作とは、一定時間、車両ＶＬが停止させること、もしくは、アクセル操作がなされたこと等を意味する。このような解除操作の有無は、車輪速度センサ５ＦＬ〜５ＲＲからの検出信号に基づいて、もしくは、アクセル操作量センサ５２の検出信号に基づいて判定される。
【００８９】
このステップで肯定判定されれば、強制制動フラグをリセットしたのち、ステップ１２１に進んで強制制動解除処理が実行され、ＰＫＢ３に発生させられている制動圧を解除すべく、第２駆動信号が解除される。また、このステップで否定判定されれば、そのまま処理が終了される。この場合、強制制動処理で設定されたＰＫＢ３に発生させた制動圧が維持されることになる。
【００９０】
以上説明したように、本実施形態の駐車補助ブレーキ装置によれば、駐車補助ブレーキ制御中にブレーキ失陥が発生したときには、車両ＶＬを自動的に停止させるようにしている。これにより、駐車補助ブレーキ制御を実行するにあたり、ブレーキ失陥が検出された場合に、そのブレーキ失陥に対応できるフェールセーフ機能を備えた駐車補助ブレーキ制御装置とすることができる。
【００９１】
また、本実施形態のフェールセーフ制御では、車速に応じた減速度増加勾配を選択し、その選択された減速度増加勾配が得られる目標減速度となるように車両ＶＬを減速させて停止させるようにしている。このため、車両ＶＬの停止が急ブレーキにならないようにできる。
【００９２】
ただし、ここで選択された減速度増加勾配を得るための制御ブレーキ力よりもドライバ要求制動力の方が大きい場合には、ドライバ要求制動力が得られるようにすることで、ドライバの制動意志を尊重することもできる。
【００９３】
なお、図３中に示したステップは、各種処理を実行する手段に対応するものである。
【００９４】
（第２実施形態）
本発明の第２実施形態について説明する。本実施形態は、第１実施形態に対して、ブレーキ制御ＥＣＵ１が実行するフェールセーフ制御処理の内容を変更したものであり、駐車補助ブレーキ制御装置の構成などについては第１実施形態と同様であるため、異なる部分についてのみ説明する。
【００９５】
上記第１実施形態では、ブレーキ失陥が発生した場合に、ＰＫＢ３を用いて強制的に車両ＶＬを停止させるようにしているが、本実施形態では、ブレーキ失陥の形態に応じて、駐車補助ブレーキ制御を継続するか、強制的に車両ＶＬを停止させるかを決め、制御形態を変化させるようにしている。
【００９６】
図４は、本実施形態の駐車補助ブレーキ制御装置におけるブレーキ制御ＥＣＵ１が実行するフェールセーフ制御処理のフローチャートを示したものである。
【００９７】
この図に示されるステップ１０１、１０３では、第１実施形態で示した図３におけるステップ１０１、１０３と同様の処理が実行される。そして、ステップ１０３でブレーキ失陥が検出された場合に、ステップ２０１に進み、ブレーキ失陥の内容に応じた制御形態が決められる。すなわち、ステップ２０１において、ブレーキ失陥は、油圧ブレーキ装置２に備えられる２系統の配管構成のうちのいずれか一方のみに異常が検出されたものなのか、それとも２系統共に異常が検出されたものなのかが判定される。
【００９８】
この判定は、例えば、第１実施形態で説明した異常チェック時に異常が検出された場合に、異常検出フラグをセットするのと共に、その異常が検出された対象物を記憶しておき、その対象物が２系統の配管構成のうちのいずれに属するものかをチェックすることにより行われる。
【００９９】
これにより、異常が検出されたのが２系統のうちのいずれか一方であった場合には、ステップ２０３に進み、ドライバーへの警告処理が行われる。この処理では、警告音およびランプもしくはディスプレイ表示による警告を行うべく、警告表示・警報装置９に油圧ブレーキ装置２に備えられる２系統の配管構成のうちのいずれか一方においてブレーキ失陥が発生したことを示す制御信号が出力される。これにより、警告表示・警報装置９でランプ点灯やディスプレイ表示や、ブザーやスピーカを通じての警告音での警報が行われ、ドライバにブレーキ失陥が発生したことが報知される。
【０１００】
逆に、ステップ２０１において、２系統共に異常が検出されていた場合には、第１実施形態と同様にステップ１０５以降の処理が実行される。
【０１０１】
また、ステップ１０１において、駐車補助ブレーキ制御中でなかった場合に関しても、第１実施形態にステップ１１１以降の処理が実行される。
【０１０２】
以上説明したように、本実施形態では、油圧ブレーキ装置２に備えられる２系統の配管構成のうちのいずれか一方のみに異常が検出されただけの場合には、その旨の警告を行いつつ、駐車補助ブレーキ制御を継続させるようにしている。このため、ドライバにブレーキ失陥が発生したことを知らせつつ、駐車補助ブレーキ制御を継続して実行することが可能となる。
【０１０３】
なお、駐車補助ブレーキ制御中には、車両ＶＬの車速が低速なクリープ走行とされることから、油圧ブレーキ装置２のうちいずれか一系統のみでしか制動圧を発生させられなくても、十分に車速を減速させることができ、本実施形態のような制御を行っても問題はない。
【０１０４】
（第３実施形態）
本発明の第３実施形態について説明する。本実施形態は、第１実施形態に対して、ブレーキ制御ＥＣＵ１が実行するフェールセーフ制御処理の内容を変更したものであり、駐車補助ブレーキ制御装置の構成などについては第１実施形態と同様であるため、異なる部分についてのみ説明する。
【０１０５】
上記第１実施形態では、ブレーキ失陥が発生した場合に、ＰＫＢ３を用いて強制的に車両ＶＬを停止させるようにしているが、本実施形態では、ＰＫＢ３を用いて車両ＶＬにおける車速を調整し、駐車補助ブレーキ制御を継続する。
【０１０６】
図５は、本実施形態の駐車補助ブレーキ制御装置におけるブレーキ制御ＥＣＵ１が実行するフェールセーフ制御処理のフローチャートを示したものである。
【０１０７】
この図に示されるステップ１０１、１０３では、第１実施形態で示した図３におけるステップ１０１、１０３と同様の処理が実行される。
【０１０８】
そして、ステップ１０３においてブレーキ失陥が発生していると判定された場合には、第１実施形態における図３のステップ１０５で示した処理を行うことなく、ステップ１０７に進み、警告処理がなされる。
【０１０９】
この後、ステップ３０１に進み、クリープ走行が行えるように、駐車補助ブレーキ制御において決められた目標減速度を発生させために必要なＰＫＢ３に加える制動力に応じた第２駆動信号が出力される。これにより、ＰＫＢ３によって車輪４ＲＬ、４ＲＲに制動力が発生させられ、駐車補助ブレーキ制御で決められたクリープ走行が実現される。
【０１１０】
以上説明したように、本実施形態では、油圧ブレーキ装置２にブレーキ失陥が発生した場合にはＰＫＢ３によって制動力を発生さえることで駐車補助ブレーキ制御が継続できるようにしている。このように制動力付与手段として第１ブレーキ手段と第２ブレーキ手段が存在する場合に、通常時に駐車補助ブレーキ制御に用いられる第１ブレーキ手段がブレーキ失陥したとしても第２ブレーキ手段を用いることで、駐車補助ブレーキ制御を継続することが可能である。
【０１１１】
（他の実施形態）
上記実施形態では、第１ブレーキ手段を油圧ブレーキ２とし、第２ブレーキ手段をＰＫＢ３としているが、自動的に制動力を発生させられるものであれば必ずしもこれらの構成にする必要はない。例えば、電動ブレーキによって第１、第２ブレーキ手段を構成しても良い。さらに、回生ブレーキなどの構成が含まれる場合には、それらと共同して自動的な制動力を発生させるようにしても良い。
【０１１２】
また、上記実施形態では、ブレーキ制御ＥＣＵ１によってフェールセーフ制御処理を実行させるようにしたが、必ずしもブレーキ制御ＥＣＵ１である必要はない。特に、近年研究が進められている車両における各種制御を統合的に行う統合ＥＣＵなどが存在する場合、その統合ＥＣＵによってフェールセーフ制御処理を実行させるようにしても良い。また、複数のＥＣＵによってフェールセーフ制御処理が実行されるようにしても良い。
【図面の簡単な説明】
【０１１３】
【図１】本発明の第１実施形態における駐車補助ブレーキ制御装置のブロック構成を示す図である。
【図２】駐車補助ブレーキ制御装置に備えられる油圧ブレーキの構成を示す図である。
【図３】ブレーキ制御ＥＣＵが実行するフェールセーフ制御処理の詳細を示したフローチャートである。
【図４】本発明の第２実施形態における駐車補助ブレーキ制御装置に備えられるブレーキ制御ＥＣＵが実行するフェールセーフ制御処理の詳細を示したフローチャートである。
【図５】本発明の第２実施形態における駐車補助ブレーキ制御装置に備えられるブレーキ制御ＥＣＵが実行するフェールセーフ制御処理の詳細を示したフローチャートである。
【符号の説明】
【０１１４】
１…ブレーキ制御ＥＣＵ、２…油圧ブレーキ装置、３…ＰＫＢ、
４ＦＲ、ＦＬ、ＲＲ、ＲＬ…車輪、５ＦＲ、ＦＬ、ＲＲ、ＲＬ…車輪速度センサ、
６…車内ＬＡＮバス、７…エンジン制御ＥＣＵ、８…周辺監視制御ＥＣＵ、
９…警告表示・警報装置、５０…センサ類、５５…ドア開閉センサ、ＶＬ…車両。
【図１】
2005343248.tif 000003
【図２】
2005343248.tif 000004
【図３】
2005343248.tif 000005
【図４】
2005343248.tif 000006
【図５】
2005343248.tif 000007